(57)【要約】【課題】網戸枠に対してネットを容易に着脱できるような構造で、ネットを容易にピンと張った綺麗な仕上がりにすることを可能にしたネットの取付構造を提供する。【解決手段】方形に枠組みされた網戸枠の枠材１，２の内周部に、内底面４ａが平坦な凹溝４が形成され、該内底面と、それに対向して凹溝の口部に配設される押え枠５の内側面との間に、張設するネット１０の周辺部を挟んだ状態として、ネットが押え枠の内側面に貼り合わされており、各枠材における凹溝の枠材内側壁４ｂの口縁に押え枠の内端縁５ｂを係止させる係止突部４ｃが設けられ、該押え枠の内端縁５ｂがネットを介して該係止突部の内側に係止されて、押え枠が凹溝の口部を覆うように装着されたときに、押え枠の外端部が凹溝の外側溝壁４ｄに当接するものとし、該溝壁に、押え枠の外端部が凹溝の外方に移動するのを抑止する移動止め構造が付設されている。【選択図】図１
2017089108.tif 000002
【特許請求の範囲】
【請求項１】
方形に枠組みされた網戸枠の四辺の枠材におけるネット張設面の枠材内周部に、内底面が平坦な凹溝が形成され、
上記凹溝の内底面と、それに対向して該凹溝の口部に配設される押え枠の内側面との間に、上記網戸枠に張設するネットの周辺部を挟んだ状態として、該ネットが少なくとも上記押え枠の内側面に固定されており、
上記各枠材における凹溝の枠材内側壁口縁に、上記押え枠の内端縁を係止させる係止突部が凹溝側に向けて設けられ、該押え枠の内端縁が、上記ネットを介して該係止突部の内側に係止されて、上記押え枠が凹溝の口部を覆うように装着されたときに、該押え枠の外端部が該凹溝の外側溝壁に当接するものとして構成され、該溝壁に、押え枠の外端部が凹溝の外方に移動するのを抑止する移動止め構造が付設されている、
ことを特徴とする網戸におけるネットの取付構造。
【請求項２】
方形に枠組みされた網戸枠の四辺の枠材におけるネット張設面の枠材内周部に凹溝が形成されて、該凹溝の平坦な内底面に、一対の面ファスナーの一方である第１の面ファスナーの背面が固定されており、
上記凹溝内底面の第１の面ファスナーに接合させる第２の面ファスナーの背面と、上記凹溝の内底面に対向して上記凹溝の口部に配設される押え枠の内側面とが、それらの間に上記網戸枠に張設する上記ネットの周辺部を挟んだ状態で固定されており、
上記各枠材における凹溝の枠材内側壁口縁に、上記押え枠の内端縁を係止させる係止突部が凹溝側に向けて設けられ、該押え枠の内端縁が、上記ネットを介して該係止突部の内側に係止されて、上記押え枠が凹溝の口部を覆うように装着されたときに、上記第１及び第２の面ファスナーを接合させると共に、該押え枠の外端部が該凹溝の外側溝壁に当接するものとして構成され、該溝壁に、押え枠の外端部が凹溝の外方に移動するのを抑止する移動止め構造が付設されている、
ことを特徴とする網戸におけるネットの取付構造。
【請求項３】
請求項１又は２に記載のネットの取付構造において、
凹溝の枠材外側溝壁に対する押え枠の外端部の移動を抑止する移動止め構造が、押え枠の外端縁において凹溝の外側に向けて連設した折曲部と接する摩擦部により構成されている、
ことを特徴とする網戸におけるネットの取付構造。
【請求項４】
請求項１に記載のネットの取付構造において、
凹溝の枠材外側溝壁に対する押え枠の外端部の移動を抑止する移動止め構造が、押え枠の外端縁において凹溝の外側に向けて連設した折曲部に係止する突子により構成されている、
ことを特徴とする網戸におけるネットの取付構造。
【請求項５】
請求項３又は４に記載のネットの取付構造において、
押え枠の外端縁において凹溝の外側に向けて連設した折曲部に、該押え枠を凹溝に着脱するための把持部を付設している、
ことを特徴とする網戸におけるネットの取付構造。
【請求項６】
請求項１に記載の網戸におけるネットの取付構造において、網戸枠の枠材に対してネットを緊張状態で取り付けるための方法であって、
予め、網戸枠における一対の対向する枠材にそれぞれ装着する押え枠の内側面に、それらの枠組みされた枠材及び押え枠の各部の寸法から割り出されるところの、上記一対の枠材間に緊張状態で張設するに必要な長さに設定したネットの周辺部を、それぞれ固定しておき、
次いで、上記一対の枠材における凹溝の枠材内側壁口縁の係止突部の内側に、上記押え枠の内端縁を、ネットを介して挿入係止させたうえで、該押え枠を、それにより凹溝の口部を覆うように枠材に装着し、該押え枠の外端部を該凹溝の外側溝壁に摩擦叉は係止により保持させ、
他の一対の枠材に対するネットの固定も、該枠材にそれぞれ装着する予めネット周辺部に接着した押え枠を、上記と同じ手順で枠材に装着して行う、
ことを特徴とする網戸におけるネットの取付方法。
【請求項７】
請求項２に記載の網戸におけるネットの取付構造において、網戸枠の枠材に対してネットを緊張状態で取り付けるための方法であって、
予め、網戸枠における２対の対向する枠材の凹溝の内底面に第１の面ファスナーの背面を接着固定すると共に、上記各枠材にそれぞれ装着する押え枠の内側面と、上記第１の面ファスナーに接合させる第２の面ファスナーの背面との間に、それらの枠組みされた枠材及び押え枠の各部の寸法から割り出されるところの、上記２対の枠材間にそれぞれ緊張状態で張設するに必要な長さに設定したネットの周辺部を挟んで、それらを固定しておき、
次いで、上記２対の枠材における凹溝の枠材内側壁口縁の係止突部の内側に、上記押え枠の内端縁を、ネットを介して挿入係止させたうえで、該押え枠を、それにより凹溝の口部を覆うように枠材に装着して、上記第１及び第２の面ファスナーを接合させると共に、該押え枠の外端部を該凹溝の外側溝壁に摩擦叉は係止により保持させる、
ことを特徴とする網戸におけるネットの取付方法。
【発明の詳細な説明】
【技術分野】
【０００１】
本発明は、網戸枠に対してネットを取り付ける該ネットの取付構造及びその取付方法に関するものである。
【背景技術】
【０００２】
従来から一般的に行われている網戸枠へのネットの取り付け及び張り替えは、必要に応じて網戸枠を建物のサッシ等から取り外したうえでネットを除去し、新しいネットを紐状のゴムや樹脂製の押し縁と共に網戸枠のネット固定溝に押し込むのが通例であり、また、汚れたネットの浄化は、必要に応じてネットを網戸枠から取り外して洗浄したうえで再度網戸枠に取り付けるなどの作業が必要であり、このようなネットの交換や浄化のための着脱だけではなく、網戸の製造段階においても、網戸枠に対してネットを可及的に緊張させた状態で能率的に取り付けるのは、十分な経験を積まなければ容易なことではない。
【０００３】
また、上述したように網戸枠がサッシ等に固定されている場合には、上記従来から行われているような手順でネットを張り替えようとしても、一般のユーザーにおいてはもちろん困難であり、専門的な技術を有する作業者であっても、網戸枠がサッシ等に固定されたものであることから、従来と同程度の緊張状態にネットを張設できるとは限らない。そのため、サッシ等に固定的に設けられている網戸枠に対してネットを容易に着脱可能にすると同時に、該網戸枠に取り付けたネットをピンと張った綺麗な仕上がりにするための構造や機構を網戸枠自体に付設することが有効な対策になる。つまり、網戸のネットを室内側に設置するだけでなく、そのネットを熟練者でなくても容易に着脱できるような構造で網戸枠に取り付けたものを一般のユーザーに提供することが必要である。
【０００４】
上述した問題に対処したものとして、特許文献１〜３等においては、網戸枠にネットを面ファスナーで着脱自在に取り付けるようにしたものが開示されているが、該ネットを単に面ファスナーによって固定しているだけであるため、該ネットに風の力や何らかの外力が作用した場合のネットの固定の安定性に問題があり、ネットをピンと張った綺麗な仕上がりにするための対策が考慮されていない。
【先行技術文献】
【特許文献】
【０００５】
【特許文献１】特開２０１２−１６２９６４号公報
【特許文献２】特開２００６−０９７２４２号公報
【特許文献３】特開２００３−０７４２７０号公報
【発明の概要】
【発明が解決しようとする課題】
【０００６】
本発明の技術的課題は、熟練者でなくても網戸枠に対してネットを容易に着脱できるような構造でありながら、張設したネットに風の力や何らかの外力が作用した場合にも、その力をネットの固定の安定性に役立たせるように構成した網戸枠に対するネットの取付構造及びその取付方法を提供することにある。
本発明の他の技術的課題は、ネットを容易にピンと張った綺麗な仕上がりにすることを可能にした該ネットの取付構造及びその取付方法を提供することにある。
【課題を解決するための手段】
【０００７】
上記課題を解決するため、本発明によれば、方形に枠組みされた網戸枠の四辺の枠材におけるネット張設面の枠材内周部に、内底面が平坦な凹溝が形成され、上記凹溝の内底面と、それに対向して該凹溝の口部に配設される押え枠の内側面との間に、上記網戸枠に張設するネットの周辺部を挟んだ状態として、該ネットが少なくとも上記押え枠の内側面に固定されており、上記各枠材における凹溝の枠材内側壁口縁に、上記押え枠の内端縁を係止させる係止突部が凹溝側に向けて設けられ、該押え枠の内端縁が、上記ネットを介して該係止突部の内側に係止されて、上記押え枠が凹溝の口部を覆うように装着されたときに、該押え枠の外端部が該凹溝の外側溝壁に当接するものとして構成され、該溝壁に、押え枠の外端部が凹溝の外方に移動するのを抑止する移動止め構造が付設されていることを特徴とする、網戸におけるネットの第１の取付構造が提供される。
【０００８】
また、上記課題を解決するため、本発明によれば、方形に枠組みされた網戸枠の四辺の枠材におけるネット張設面の枠材内周部に凹溝が形成されて、該凹溝の平坦な内底面に、一対の面ファスナーの一方である第１の面ファスナーの背面が固定されており、上記凹溝内底面の第１の面ファスナーに接合させる第２の面ファスナーの背面と、上記凹溝の内底面に対向して上記凹溝の口部に配設される押え枠の内側面とが、それらの間に上記網戸枠に張設する上記ネットの周辺部を挟んだ状態で固定されており、上記各枠材における凹溝の枠材内側壁口縁に、上記押え枠の内端縁を係止させる係止突部が凹溝側に向けて設けられ、該押え枠の内端縁が、上記ネットを介して該係止突部の内側に係止されて、上記押え枠が凹溝の口部を覆うように装着されたときに、該押え枠の外端部が該凹溝の外側溝壁に当接するものとして構成され、該溝壁に、押え枠の外端部が凹溝の外方に移動するのを抑止する移動止め構造が付設されている、ことを特徴とする網戸におけるネットの第２の取付構造が提供される。
【０００９】
上述した第１及び第２のネットの取付構造においては、いずれも、ネットが押え枠の内側面に固定されていて、枠材に対するネットの取り付けに際しては、枠材における凹溝の枠材内側壁口縁に設けた係止突部の内側に、上記押え枠の内端縁をネットを介して挿入係止させたうえで、該押え枠を、それにより凹溝の口部を覆うように枠材に装着するので、網戸枠に張設されたネットは、枠材内側壁口縁に設けられている係止突部において折り返して凹溝内に導かれ、その後再び押え枠の内側面に沿う方向に転向して該内側面に固定されている。
【００１０】
このようにして網戸枠に取り付けられているネットに対し、それをピンと張った綺麗な緊張状態に保持し、或いは、風の力や外力がネット面に垂直に作用すると、それらに基づいて網戸枠に対するネットの取付部分に作用する緊張力は、上記枠材内側壁口縁の係止突部の内側でのネットの折り返しにより作用方向を変え、そして該ネットの先端が押え枠の内面に固定されていることから、上記作用方向を変えたネットの緊張力が押え枠を網戸枠の外側に向けて押す力となり、結果的に、上記押え枠の外端縁が凹溝の枠材外側溝壁に押し付けられ、それにより該押え枠が姿勢を変えたりすることが抑止され、所要の位置に安定的に保持されることになって、ネットの保持がより安定化される。しかも、上記凹溝を覆う押え枠により、網戸枠に対するネットの取付部分が保護される。
【００１１】
これに対して、前記特許文献１〜３等に開示されているように、ネットを面ファスナーによって網戸枠に取り付けたものでは、該ネットに対して、そのネット面に直交する方向で、それを網戸枠に取り付けている面ファスナーを引き剥がす方向の風の力や外力等が作用した場合、その力は全て網戸枠に対するネットの保持を不安定化するものとして作用することになり、それらの力がネットの保持をより安定化させることは期待することができない。
【００１２】
また、上記第１及び第２のネットの取付構造により網戸枠に取り付けたネットを張り替えや洗浄のために取り外す場合には、外端縁が凹溝の枠材外側溝壁に押し付けられて保持されている上記押え枠の該外端縁を凹溝の外側に引き出し、該押え枠を、凹溝の枠材内側壁に設けた係止突部への係止部分の周りで回転させながら、凹溝から外部に取り出し、これを各押え枠について行うことにより、容易にネットを押え枠と共に網戸枠から取り外すことができる。
ネットを再度網戸枠に取り付ける場合には、上記と逆の操作を行えばよく、この場合に先に取り外したものを洗浄後にそのまま取り付け、或いは、同寸のネットに押え枠を取り付けた交換品を用いれば、容易にネットを緊張状態で取り付けることができる。
【００１３】
上述した本発明の第１及び第２のネットの取付構造についての好ましい実施形態においては、凹溝の枠材外側溝壁に対する押え枠の外端部の移動を抑止する移動止め構造を、押え枠の外端縁において凹溝の外側に向けて連設した折曲部と接する摩擦部として構成し、或いは、該押え枠の折曲部に係止する突子として構成することができ、更に、それらの場合において、上記折曲部に押え枠を凹溝に着脱するための把持部を付設することが望まれる。
【００１４】
また、本発明に係る上記第１のネットの取付構造については、網戸枠の枠材に対してネットを緊張状態で取り付けるための方法を適用することができ、即ち、予め、網戸枠における一対の対向する枠材にそれぞれ装着する押え枠の内側面に、それらの枠組みされた枠材及び押え枠の各部の寸法から割り出されるところの、上記一対の枠材間に緊張状態で張設するに必要な長さに設定したネットの周辺部を、それぞれ固定しておき、次いで、上記一対の枠材における凹溝の枠材内側壁口縁の係止突部の内側に、上記押え枠の内端縁を、ネットを介して挿入係止させたうえで、該押え枠を、それにより凹溝の口部を覆うように枠材に装着し、該押え枠の外端部を該凹溝の外側溝壁に摩擦叉は係止により保持させ、他の一対の枠材に対するネットの固定も、該枠材にそれぞれ装着する予めネット周辺部に接着した押え枠を、上記と同じ手順で枠材に装着して行うことを特徴とする方法である。
【００１５】
更に、本発明に係る第２のネットの取付構造については、網戸枠の枠材に対してネットを緊張状態で取り付けるための方法、即ち、予め、網戸枠における２対の対向する枠材の凹溝の内底面に第１の面ファスナーの背面を接着固定すると共に、上記各枠材にそれぞれ装着する押え枠の内側面と、上記第１の面ファスナーに接合させる第２の面ファスナーの背面との間に、それらの枠組みされた枠材及び押え枠の各部の寸法から割り出されるところの、上記２対の枠材間にそれぞれ緊張状態で張設するに必要な長さに設定したネットの周辺部を挟んで、それらを固定しておき、次いで、上記２対の枠材における凹溝の枠材内側壁口縁の係止突部の内側に、上記押え枠の内端縁を、ネットを介して挿入係止させたうえで、該押え枠を、それにより凹溝の口部を覆うように枠材に装着して、上記第１及び第２の面ファスナーを接合させると共に、該押え枠の外端部を該凹溝の外側溝壁に摩擦叉は係止により保持させることを特徴とする方法を適用することができる。
【００１６】
一般的に、網戸枠に対してネットを取り付ける場合、枠材とネット周辺部の単なる接着や面ファスナーによる接合では、ネットの全体をピンと張った状態に緊張させて網戸枠に取り付けることは困難であるが、上述したように、網戸枠における一対の対向する枠材にそれぞれ装着する押え枠の内側面に、それらの枠組みされた枠材及び押え枠の各部の寸法から割り出されるところの、上記一対の枠材間に緊張状態で張設するに必要な長さに設定したネットの周辺部を、予めそれぞれ固定しておくと、その固定段階ではネットを緊張させておく必要がないので、所定の寸法関係になるように容易に固定することができ、その後に、上記一対の枠材における凹溝の枠材内側壁口縁の係止突部の内側に、上記押え枠の内端縁を、ネットを介して挿入係止させると、その作業によりネットが全体的に緊張状態になり、そのうえで、押え枠を、それにより凹溝の口部を覆うように枠材に装着するだけで、ネットの緊張状態での張設を完了することができる。
【００１７】
また、上記一対の枠材における係止突部の内側に押え枠の内端縁をネットを介して挿入係止させた後、押え枠を、凹溝の口部を覆うように枠材に装着する段階では、該押え枠の外端部を該凹溝の外側溝壁に摩擦叉は係止により保持させるだけでよく、この場合にはネットの緊張力が押え枠に作用して、該押え枠の外端部が凹溝の外側溝壁に押し付けることになるので、該溝壁との間の摩擦、或いは押え枠の外端部の移動を抑止する突子により、特に押え枠の確実な固定を考慮しなくても、押え枠を凹溝内に安定的に保持することができる。
【発明の効果】
【００１８】
以上に詳述した本発明によれば、熟練者でなくても網戸枠に対してネットを容易に着脱できるような構造でありながら、張設したネットに風の力や何らかの外力が作用した場合にも、その力をネットの固定の安定性に役立たせることができる。また、ネットを容易にピンと張った綺麗な仕上がりの緊張状態にすることができる。
【図面の簡単な説明】
【００１９】
【図１】本発明に係るネットの取付構造の第１実施例における一対の縦枠材を示す要部横断面図である。
【図２】同実施例における横枠材の断面図である。
【図３】本発明に係るネットの取付構造の第２実施例における一対の縦枠材の横断面図である。
【図４】同実施例における横枠材の断面図である。
【発明を実施するための形態】
【００２０】
図１及び図２は、本発明に係るネットの取付構造を備えた網戸における一対の縦枠材１及び上部の横枠材２の断面形状を示し、これらの縦枠材１及び横枠材２は、図示を省略しているが周知の網戸枠と同様に端部を相互に連結して方形に枠組みされ、網戸枠としてその内側にネット１０を張設して使用されるものである。なお、下部の横枠材については図示していないが、上部の横枠材２と上下対称の形態、或いは下部の横枠材として適した形態のものが用いられる。
【００２１】
また、上述した縦横の四辺の枠材１，２により形成される網戸枠は、網戸を設置する任意の建物開口部に取り付けて使用できるものではあるが、本発明に係るネットの取付構造は、熟練者でなくても室内側からの操作により網戸枠に対してネットを容易に着脱できる構造とするものであるから、ここでは、図１の下側面及び図２の左側面であるネット張設面が室内側であることを前提として説明する。なお、この図１においては、右側の縦枠材１ではネット１０の取り付けを完了した状態を、左側の縦枠材１ではネット１０の取り付け中の状態を示している。
【００２２】
次に、図１を参照して上記縦枠材１の構成について説明する。
上記縦枠材１は、一般的にはアルミニウム或いは合成樹脂の型材により形成され、枠材本体１ａにおける枠材内周部１ｂの室内側に、該縦枠材１の全長にわたって内底面４ａが平坦な凹溝４が形成されている。該凹溝４の溝幅は、該凹溝４の口部に以下に説明する押え枠５を配設するに十分なものであり、また、該凹溝４の深さは、上記押え枠５の板状部５ａの内側面に上記ネット１０の周辺部を接着剤６や溶着で貼り合わせたものを収容するに十分なものであればよい。上記押え枠５の板状部５ａは、ネット１０の周辺部を接着剤６等により必要な強度で貼り合わせることができる幅であることが必要である。
【００２３】
上記押え枠５は、最終的には上記凹溝４の口部を覆うように配設されるが、後述するように上記ネット１０の着脱に有効に利用するもので、塩化ビニル（ＰＶＣ）等の合成樹脂で上記凹溝４を覆う板状に成形され、更に具体的には、凹溝４の口部を覆うようにして縦枠材１に装着したときに、凹溝４の枠材内側壁４ｂの口縁に設けた係止突部４ｃに対して押え枠５の内端縁５ｂが係止し、また、該押え枠５の外端縁において凹溝４の外側に向けて連設した折曲部５ｃが、凹溝４の枠材外側溝壁４ｄに当接することにより、該押え枠５の外端部が凹溝４の外側溝壁４ｄに対し、それに沿う移動が抑止されるように形成し、該押え枠５の凹溝４内への収容を安定化させている。この押え枠５の外端部を外側溝壁４ｄに対して移動させないようにするための移動止め構造は、両者の何らかの接触により押え枠５の外端部の移動が抑止されるものであればよいが、その具体例については後述する。
【００２４】
上記ネットの取付構造では、ネット１０の周辺部を接着剤６や溶着で内側面に貼り付けた押え枠５を凹溝４内に収容したときには、該凹溝４の内底面４ａと、それに対向して該凹溝４の口部に配設される押え枠５の内側面との間において、上記網戸枠に張設するネット１０の周辺部を挟み、それを接着剤６等で少なくとも押え枠５の内側面に貼り合わせた状態として、凹溝４内に収容される。なお、押え枠５にネット１０の周辺部を貼り合わせるための上記接着剤６が、ネット１０の網目を通して凹溝４の内底面４ａ側にも滲出する可能性があり、そのため、ネット１０と押え枠５とを凹溝４から取り出し易くしておくためには、凹溝４の内底面４ａに対してネット１０が接着されるのを阻止する手段を予め考慮しておくのが望ましい。
【００２５】
上記押え枠５を凹溝４の口部へ収容するのを安定化させるため、上記凹溝４の外側溝壁４ｄには、移動止め構造として、凹溝４の枠材外側溝壁４ｄに対する押え枠５の外端部の移動を抑止する構造部分を備えている。その構造例としては、押え枠５の外端縁において凹溝４の外側に向けて連設した折曲部５ｃと接する摩擦部を外側溝壁４ｄによって形成させ、或いは、上記折曲部５ｃに係止する突子４ｅを外側溝壁４ｄに設けることにより構成することができる。また、このようにして押え枠５の外端縁が凹溝４の口部から外側に移動するのを抑止することから、逆に、上記折曲部５ｃに押え枠５を凹溝４に着脱するための把持部５ｄを付設しておくのが、ネットの着脱操作を容易にするために有効である。
【００２６】
上述したネットの取付構造においては、ネット１０が押え枠５の内側面に貼り合わされていて、枠材１に対するネット１０の取り付けに際しては、図１の左側の枠材に対する押え枠５のように、枠材１における凹溝４の枠材内側壁４ｂの口縁に設けた係止突部４ｃの内側に、上記押え枠５の内端縁をネット１０を介して挿入係止させたうえで、該押え枠５の折曲部５ｃを押圧して、押え枠５をそれで凹溝４の口部を覆うように枠材１に装着すればよく、これにより、網戸枠に張設されたネット１０は上記係止突部４ｃにおいて折り返して凹溝４内に導かれ、その後、再び押え枠５の内側面に沿う方向に転向して該内側面に固定された状態になる。
【００２７】
このようにして網戸枠に取り付けられているネット１０に対し、それをピンと張った綺麗な緊張状態に保持させ、或いは、風の力や外力がネット面に垂直に作用する場合には、それらに基づいて網戸枠に対するネットの取付部分に作用する緊張力は、上記枠材内側壁４ｂの口縁の係止突部４ｃの内側でのネット１０の折り返しにより作用方向を変え、そして該ネット１０の先端が押え枠５の内面に固定されていることから、上記作用方向を変えたネット１０の緊張力が押え枠５を網戸枠の外側に向けて押す力となり、結果的に、上記押え枠５の外端縁が凹溝４の枠材外側溝壁４ｄに押し付けられ、それにより該押え枠５が姿勢を変えたりすることが抑止され、所要の位置に安定的に保持されることになって、ネットの保持がより安定化される。しかも、上記凹溝４を覆う押え枠５により、網戸枠に対するネット１０の取付部分が保護される。
【００２８】
次に、図２を参照して上記横枠材２おけるネット１０の取付構造について説明するが、この横枠材２の取付構造に関して、上記図１の縦枠材１の場合と相違するのは、横枠材２の実施例として示す枠材本体２ａの形態の一部のみであり、そのため、図２中の横枠材２における、縦枠材１の各部との主たる対応部分に、縦枠材１の各部に付した符号と同一の符号を付して、それらの説明を省略する。
なお、図２における枠材本体２ａでは、凹溝４の枠材外側溝壁４ｄを形成する該枠材本体２ａの一部に、縦枠材１とビスで連結する際に該ビスを螺挿するビスポケット４ｆを備えているが、このビスポケット４ｆの凸部にも、押え枠５の外端縁における折曲部５ｃと接する摩擦部を形成させている。
【００２９】
上述したネットの取付構造においては、網戸枠の枠材１，２に対してネットを緊張状態で取り付けるための次のような方法を適用することができる。
この方法においては、予め、網戸枠における一対の対向する枠材１，１及び２，２にそれぞれ装着する押え枠５の内側面に、それらの枠組みされた枠材及び押え枠の各部の寸法から割り出されるところの、上記一対の枠材間に緊張状態で張設するに必要な長さに設定したネット１０の周辺部を、それぞれ接着等により固定しておく。枠材間に緊張状態で張設するに必要なネット１０の長さとは、前述した張設態様においてネット１０を一対の押え枠５間に張設したときのネットの全長から、その長さのネットを緊張させるに必要な長さを差し引いたものである。
【００３０】
次いで、上記一対の枠材における凹溝４の枠材内側壁口縁の係止突部４ｃの内側に、上記押え枠５の内端縁５ｂを、ネット１０を介して挿入係止させ、そのときの押え枠５の押入力によってネット１０に緊張力を与え、その状態で、該押え枠５を凹溝４の口部を覆うように枠材に装着し、該押え枠５の外端部を該凹溝４の外側溝壁４ｄに摩擦叉は係止により保持させる。ここで、押え枠５の内端縁５ｂによりネット１０を枠材内側壁口縁の係止突部４ｃの内側に押入する際の押え枠５の押入力が多少過大であっても、その後に押え枠５の外端部を凹溝４の外側溝壁４ｄに保持させることによって、ネット１０に作用する過大な緊張力が解放され、ネットには先に押え枠５間に設定した長さに基づく緊張力が与えられることになる。他の一対の枠材に対するネットの固定も、上記と同じ手順で行えばよい。
【００３１】
また、上記ネット１０の取付構造により、網戸枠に取り付けたネット１０を張り替えや洗浄のために取り外す場合には、凹溝４の枠材外側溝壁４ｄに押し付けられて保持されている上記押え枠５の外端縁を凹溝４の外側に引き出し、該押え枠５を、凹溝４の枠材内側壁４ｂに設けた係止突部４ｃへの係止部分の周りで回転させながら、凹溝４から外部に取り出し、これを各押え枠５について行うことにより、容易にネット１０を押え枠５と共に網戸枠から取り外すことができる。
【００３２】
ネット１０を再度網戸枠に取り付ける場合には、上記と逆の操作を行えばよく、この場合に先に取り外したものを洗浄後にそのまま取り付け、或いは、同寸でネット１０に押え枠５を取り付けた交換品を用いれば、容易にネット１０を緊張状態で取り付けることができる。
【００３３】
次に、図３及び図４を参照して、本発明の第２実施例について説明する。
前記第１実施例のネットの取付構造では、ネット１０の周辺部を固定した押え枠５を凹溝４内に保持させるに当たり、該ネットの周辺部を凹溝４の内底面４ａに直接的に当接させ、押え枠５の内端縁５ｂを凹溝４の係止突部４ｃの内側に係止させると共に、該押え枠５を凹溝４の口部を覆うように枠材に装着しているのに対し、この第２実施例では、枠材における凹溝４の内底面４ａとネット１０の周辺部を取り付けた押え枠５との間に、それぞれ互いに接合する第１及び第２の面ファスナー７ａ，７ｂを取り付けた点で大きく相違している。しかしながら、その他の構成については一応の対応関係があるため、以下の第２実施例の説明においては、図中の第１実施例と共通又は対応部分には第１実施例と同じ符号を付し、それらの説明はできるだけ重複を避けることとする。
【００３４】
上記第２実施例について、第１実施例との相違点を明確にして説明すると、この第２実施例における縦横の枠材１，２の枠材本体１ａ，２ａ及び内周部１ｂ，２ｂの形態は、第１実施例の場合と大きく変わるところはないが、凹溝４内に、以下に述べる第１の面ファスナー７ａ及びそれに接合させた第２の面ファスナー７ｂが収容されることから、該凹溝は第１実施例の場合よりも深く形成されている。そして、上記凹溝４の平坦な内底面４ａに、一対の面ファスナーの一方である第１の面ファスナー７ａの背面が接着剤等で接着固定され、該第１の面ファスナー７ａに接合させる第２の面ファスナー７ｂの背面と、上記凹溝４の口部に配設される押え枠５の内側面とが、それらの間に上記網戸枠に張設するネット１０の周辺部を挟んだ状態として、それらを接合する接着剤６等を介して貼り合わされている。
【００３５】
また、上記各枠材１，２における凹溝４の枠材内側壁４ｂの口縁に、上記押え枠５の内端縁５ｂを係止させる係止突部４ｃが凹溝４側に向けて設けられ、該押え枠５の内端縁５ｂが、上記ネット１０を介して該係止突部４ｃの内側に係止されて、上記押え枠５が凹溝４の口部を覆うように装着されたときに、上記第１及び第２の面ファスナー７ａ，７ｂを接合させると共に、該押え枠５の外端部が該凹溝４の外側溝壁４ｄに当接するものとして構成され、該溝壁４ｄに、押え枠５の外端部が凹溝４の外方に移動するのを抑止する移動止め構造を形成させている。
【００３６】
凹溝４の外側溝壁４ｄに設ける移動止め構造としては、上述した第１及び第２の面ファスナー７ａ，７ｂを介して枠材１，２と押え枠５とを結合していることから、特に、安定的に枠材１，２と押え枠５とを結合するものである必要はないが、安全性等を考慮して、押え枠５の外端縁において凹溝４の外側に向けて連設した折曲部５ｃを凹溝４の外側溝壁４ｄに形成された摩擦部に当接させるなどにより、簡単に押え枠５が外れるのを抑止することが望まれる。
【００３７】
このような構成を備えた第２実施例の取付構造によれば、上述した第１実施例の場合と同様に、網戸枠に取り付けているネット１０に対し、それをピンと張った綺麗な緊張状態に保持させることができ、更に、面ファスナー７ａ，７ｂによってネット１０の着脱も容易に行うことができるため、ネット１０の洗浄や交換も簡単になり、しかも、押え枠５とネット１０との接着部分を離脱可能にすれば、網戸枠から取り外したネットの取り扱いを非常に簡便なものとすることができる。
【符号の説明】
【００３８】
１      縦枠材
２      横枠材
４      凹溝
４ａ    内底面
４ｂ    内側壁
４ｃ    係止突部
４ｄ    外側溝壁
５      押え枠
５ｂ    内端縁
６      接着剤
１０      ネット
【図１】
2017089108.tif 000003
【図２】
2017089108.tif 000004
【図３】
2017089108.tif 000005
【図４】
2017089108.tif 000006